(57)【要約】      （修正有）【課題】使用者が座ったときの安定性を向上させることができる回転椅子を提供する。【解決手段】床面に載置される脚部１２と、前記脚部により支持される座部１３とを備えた回転椅子１０において、  前記脚部は、脚部本体１４と前記脚部本体の下端部に設けられた回転部１５とを有し、前記回転部は、前記脚部本体に固定された支持部１６と、前記支持部が回転可能に係合する円環状受け部１７とにより構成される。【選択図】図１
0003171339.tif 000002
【実用新案登録請求の範囲】
【請求項１】
床面に載置される脚部と、前記脚部により支持される座部とを備えた回転椅子において、
前記脚部は、脚部本体と前記脚部本体の下端部に設けられた回転部とを有し、前記回転部は、前記脚部本体に固定された支持部と、前記支持部が回転可能に係合する円環状受け部とにより構成されることを特徴とする回転椅子。
【請求項２】
前記支持部は、前記円環状受け部と同径の円環に形成され、円環状受け部にスライド可能に係合する複数の摺動部材を介して円環状受け部に接合固定されていることを特徴とする請求項１記載の回転椅子。
【請求項３】
前記座部には背もたれが取り付けられたことを特徴とする請求項１記載の回転椅子。
【請求項４】
前記脚部の一部を構成するアームレストが設けられていることを特徴とする請求項１記載の回転椅子。
【請求項５】
前記円環状受け部は、アクリロニトリル‐スチレン‐ブタジエン樹脂により形成されたことを特徴とする請求項１に記載の回転椅子。
【考案の詳細な説明】
【技術分野】
【０００１】
本考案は、回転椅子に係り、特に、座った状態で身体を回転させることができる回転椅子に関する。
【背景技術】
【０００２】
一般的に、回転椅子は、使用者が座った状態のまま身体を回転することで、周囲のものを取りやすく、立ち上がりやすくすることができるため、事務用や家庭用等の広範囲に使用されている。
【０００３】
このような回転椅子には、使用者が座部に座った状態で、座部を脚部に対して水平方向に回転できるように、脚部および座部の間に金属製の回転盤が取り付けられたものがある。
【考案の開示】
【考案が解決しようとする課題】
【０００４】
しかしながら、回転盤が取り付けられた回転椅子は、回転盤の幅が座部の幅よりも小さく形成され、回転板の中央において、脚部と座部との間に取り付けられており、所定の高さ位置に設けられていることから、使用者が座部に座ったときに、座部の前後左右方向に、いわゆる「アオリ」が出やすく不安定となり、使用者は安定して着座することができない場合がある。
【０００５】
また、回転部には鉄製等、金属製の回転盤が使用されており、長期間、座部を回転させる動作を繰り返し行うことにより回転盤の劣化や歪みが発生することで、座部が円滑に回転しにくくなり、回転させる際に不快な摩擦音を発生するという問題がある。
【０００６】
更に、金属製の回転盤の部品重量は大きく、回転盤を椅子に取り付けることにより椅子全体にかかる重量が大きくなるため、椅子の持ち運びがしにくいという不具合も生じる。
【０００７】
本考案は、使用者が座ったときの安定性を向上させることができる回転椅子を提供することを課題とする。
【課題を解決するための手段】
【０００８】
上記課題を解決するために、請求項１の考案にかかる回転椅子は、床面に載置される脚部と、前記脚部により支持される座部とを備えた回転椅子において、前記脚部は、脚部本体と前記脚部本体の下端部に設けられた回転部とを有し、前記回転部は、前記脚部本体に固定された支持部と、前記支持部が回転可能に係合する円環状受け部とにより構成されることを特徴とする。
【０００９】
従って、回転部は脚部の下端部に設けられ、座部と共に脚部そのものが回転するよう構成されている。
【００１０】
請求項２の考案にかかる回転椅子は、前記支持部は、前記円環状受け部と同径の円環に形成され、円環状受け部にスライド可能に係合する複数の摺動部材を介して円環状受け部に接合固定されていることを特徴とする。
【００１１】
請求項３の考案に係る回転椅子は、前記座部には背もたれが取り付けられたことを特徴とする。
【００１２】
請求項４記載の考案に係る回転椅子は、脚部の一部を構成するアームレストが設けられていることを特徴とする。
【００１３】
請求項５記載の考案に係る回転椅子は、前記円環状受け部は、アクリロニトリル‐スチレン‐ブタジエン樹脂（ＡＢＳ樹脂）により形成されたことを特徴とする。
【考案の効果】
【００１４】
請求項１の考案にあっては、脚部本体と前記脚部本体の下端部に設けられた回転部とを有し、前記回転部は、前記脚部本体に固定された支持部と、前記支持部が回転可能に係合する円環状受け部とにより構成されていることから、円環状受け部上で座部および脚部を含む椅子本体が一体となって回転する。
【００１５】
従って、請求項1記載の考案にあっては、回転部が、従来のように座部と脚部との間ではなく、載置面に近い椅子本体の下端部にあることから、回転した際の、使用者の身体の支持安定性を向上させることができる。
また、脚部および座部の間に金属製の回転盤が取り付けられた従来の回転椅子と比較して、デザイン上も有利であり、椅子としての外観品質の向上を図ることができる。
【００１６】
請求項２の考案にあっては、前記支持部は、前記円環状受け部と同径の円環に形成され、円環状受け部にスライド可能に係合する複数の摺動部材を介して円環状受け部に接合固定されていることから、脚部本体が固定された支持部は円環状受け部と同径の円環に形成されていることから、請求項１の効果に加えてさらに回転時に安定して回転することができる。
【００１７】
請求項３の考案にあっては、前記座部には背もたれが取り付けられていることから、使用者は安定して座ることができる。
【００１８】
請求項４の考案にあっては、脚部の一部を構成するアームレストが設けられていることから、アームレストも脚部の一部として支持部に固定され、回転椅子の剛性を高めることができると共に、安定した回転を確保することができる。
【００１９】
請求項５記載の考案にあっては、前記円環状受け部は、アクリロニトリル‐スチレン‐ブタジエン樹脂により形成されていることから、軽量であると共に必要な硬度を有しており、長年の使用にも耐えることができる。
【図面の簡単な説明】
【００２０】
【図１】本考案に係る回転椅子の一実施の形態を示す斜視図である。
【図２】本考案に係る回転椅子に使用される摺動部材を示す斜視図である。
【図３】本考案に係る回転椅子の回転部の構造を示す斜視図である。
【考案を実施するための最良の形態】
【００２１】
以下、添付図面に示す実施の形態に基づき本考案に係る回転椅子を詳細に説明する。
図１に示すように、本実施の形態に係る回転椅子１０は木製の籐椅子として構成され、床面１１に載置される脚部１２と、前記脚部１２により支持される座部１３とを備え、前記脚部１２は、脚部本体１４と脚部本体１４の下端部に設けられた回転部１５とを有している。
【００２２】
前記回転部１５は、前記脚部本体１４に固定された支持部１６と、前記支持部１６が回転可能に係合する円環状受け部１７とにより構成されている。
【００２３】
前記支持部１６は、前記円環状受け部１７と同径の円環に形成され、円環状受け部１７にスライド可能に係合する複数の摺動部材１８を介して円環状受け部１７に接合固定されている。
【００２４】
図２に示すように、前記摺動部材１８は、合成樹脂製であって、前記円環状受け部１７上に摺動可能に係合する略直方体状の基部１９と、基部１９上に突設された平面十字状の固定部２０とからなる。
【００２５】
その結果、図３に示すように、固定部２０が支持部１６に固定されことにより支持部１６は円環状受け部１７に摺動可能に接合されている。
また、前記座部１３には背もたれ２４が取り付けられており、本実施の形態にあっては、背もたれ２４は略半長円状のメッシュ材により形成されている。
【００２６】
本実施の形態にあってはアームレスト２１が設けられており、アームレスト２１は、脚部を兼ねる木製のフレーム部材２２の一部として形成されている。
【００２７】
フレーム部材２２は、全体が所定径の木製の細長紐状に形成され、前記背もたれ２４の上半部に固定されて背もたれ２４を縁取って支持固定すると共に、座部１３と平行に前方へ向かって延設されてアームレスト２１が形成され、アームレスト２１の前端部から弧を描いて下方へ延設されて前部脚部本体１４ａを形成している。
【００２８】
また、同様にフレーム部材２３は側面逆Ｕ字状に形成され、フレーム部材２１と共に前部脚部本体１４ａを形成すると共に、単体で後部脚部本体１４ｂを構成している。
【００２９】
従って、本実施の形態にあっては、脚部本体１４、１４が、座部１３の両側部において座部１３を支持固定している。また、座部１３の前部及び後部には、略Ｖ字状の補助支持部材２５、２６が設けられている。そして、前部脚部本体１４、１４の下端部は支持部１６に固定されている。
【００３０】
以下、本実施の形態に係る回転椅子１０の作用について説明する。
本実施の形態に係る回転椅子１０にあっては、使用者は座部１３に着座した状態で回転して方向転換することができる。
【００３１】
この場合、座部１３はアームレストを兼ねる脚部本体１４、１４に固定されており、脚部本体１４は下端部において支持部１６に固定されており、支持部１６は複数の摺動部材１８を介して、床面に載置される円環状受け部１７にスライド可能に接合されていることから、本実施の形態に係る回転椅子における支持部１６から上方の部位全体は、円環状受け部１７上で回転する。
【００３２】
その結果、本実施の形態に係る回転椅子１０にあっては、従来のように、座部の裏面部において、床面から所定の高さ位置において座部と脚部との間に回転部材が設けられている場合とは異なり、略床面の高さに回転部が設けられているため、及び、回転部の径寸法が回転椅子の平面方向の全体に及ぶため、回転した際の、いわゆる「アオリ」が起きる事態を防止して安定した回転を行うことができる。その結果、使用者はリラックスした状態で座り続けることができる。
【００３３】
また、本実施の形態にあっては、前記円環状受け部１７は、アクリロニトリル‐スチレン‐ブタジエン（ＡＢＳ）樹脂により形成されていることから、所定の剛性を有し、長年に亘る使用によっても、破損することのない回転椅子を提供することができる。
【００３４】
なお、本実施の形態にあっては、円環状受け部１７がＡＢＳ樹脂により形成されている場合を例に説明したが、ＡＢＳ樹脂以外の合成樹脂であってもよい。
また、本実施の形態にあっては、本考案に係る回転椅子を籐椅子に適用した場合を例に説明したが、椅子の具体的構成に関しては、本実施の形態に限定されない。
【符号の説明】
【００３５】
１０    回転椅子
１１    床面
１２    脚部
１３    座部
１４    脚部本体
１４ａ  前部脚部本体
１４ｂ  後部脚部本体
１５    回転部
１６    支持部
１７    円環状受け部
１８    摺動部材
１９    基部
２０    固定部
２１    アームレスト
２２    フレーム部材
２３    フレーム部材
２４    背もたれ部
２５    補助支持部材
２６    補助支持部材
【図１】
0003171339.tif 000003
【図２】
0003171339.tif 000004
【図３】
0003171339.tif 000005